(57)【要約】【課題】顔の変化に応じたマッサージ内容を精度良く出力できるマッサージ支援プログラムを提供することを目的とする。【解決手段】マッサージ支援プログラムは、異なるタイミングで撮像された顔画像に基づいて、顔の変化を特定し、顔の変化に対応づけて顔のマッサージ内容を記憶した記憶部を参照して、特定した前記変化に対応するマッサージ内容を特定し、特定した該マッサージ内容を出力する、処理をコンピュータに実行させることを特徴とする。【選択図】図７
2019091317.tif 000002
【特許請求の範囲】
【請求項１】
異なるタイミングで撮像された顔画像に基づいて、顔の変化を特定し、
顔の変化に対応づけて顔のマッサージ内容を記憶した記憶部を参照して、特定した前記変化に対応するマッサージ内容を特定し、
特定した該マッサージ内容を出力する、
処理をコンピュータに実行させることを特徴とするマッサージ支援プログラム。
【請求項２】
前記異なるタイミングは、朝と、夕方又は夜である、
ことを特徴とする請求項１に記載のマッサージ支援プログラム。
【請求項３】
前記マッサージ内容は、最新の撮像画像に含まれる顔画像に対応づけて表示される、
ことを特徴とする請求項１に記載のマッサージ支援プログラム。
【請求項４】
前記マッサージ内容を特定する処理は、顔の変化に対応づけて該顔の変化を改善するマッサージ部分を示す画像を記憶した記憶部を参照して、特定した前記変化に対応する画像を特定し、
前記マッサージ内容を出力する処理は、特定した該画像を前記顔画像に重畳して表示する、
ことを特徴とする請求項１に記載のマッサージ支援プログラム。
【請求項５】
前記マッサージ内容を特定する処理は、顔の変化に対応づけて該顔の変化を改善するマッサージ部分を示す画像と該顔のマッサージ手法を説明する文字とを記憶した記憶部を参照して、特定した前記変化に対応する画像と文字とを特定し、
前記マッサージ内容を出力する処理は、特定した該画像を前記顔画像に重畳して表示し、特定した該文字を前記顔画像に重畳せずに表示する、
ことを特徴とする請求項１に記載のマッサージ支援プログラム。
【請求項６】
前記マッサージ内容を特定する処理は、顔の変化に対応づけて該顔の変化を改善するマッサージ部分を示す画像と該顔のマッサージ手法を説明する音声とを記憶した記憶部を参照して、特定した前記変化に対応する画像及び音声を特定し、
前記マッサージ内容を出力する処理は、特定した該画像を前記顔画像に重畳して表示し、特定した該音声を出力する、
ことを特徴とする請求項１に記載のマッサージ支援プログラム。
【請求項７】
前記顔の変化を特定する処理は、前記顔画像における部分領域の大きさ又は前記顔画像における部分領域の色の変化に基づいて、前記顔の変化を特定する、
ことを特徴とする請求項１から６のいずれか１項に記載のマッサージ支援プログラム。
【請求項８】
異なるタイミングで撮像された顔画像に基づいて、顔の変化を特定し、
顔の変化に対応づけて顔のマッサージ内容を記憶した記憶部を参照して、特定した前記変化に対応するマッサージ内容を特定し、
特定した該マッサージ内容を出力する、
処理をコンピュータが実行することを特徴とするマッサージ支援方法。
【請求項９】
顔の変化に対応づけて顔のマッサージ内容を記憶した記憶部と、
異なるタイミングで撮像された顔画像に基づいて、顔の変化を特定し、前記記憶部を参照して、特定した前記変化に対応するマッサージ内容を特定し、特定した該マッサージ内容を出力する処理部と、
を有することを特徴とするマッサージ支援装置。
【発明の詳細な説明】
【技術分野】
【０００１】
本件は、マッサージ支援プログラム、マッサージ支援方法、及びマッサージ支援装置に関する。
【背景技術】
【０００２】
顔のたるみやしわなど、使用者の顔の形態に関する情報を、美容行為を支援する美容情報として使用者に提供できる洗面化粧台が知られている。また、洗面化粧台が美容情報に応じた対処方法（例えば美顔器を用いた顔のマッサージ方法など）の映像を表示することも知られている。このような洗面化粧台により、使用者は表示された映像を見ながら、顔をマッサージすることができる（以上、例えば特許文献１参照）。
【先行技術文献】
【特許文献】
【０００３】
【特許文献１】特開２０１２−１５２３８９号公報
【発明の概要】
【発明が解決しようとする課題】
【０００４】
しかしながら、上述した洗面化粧台は美容情報に応じた対処方法の映像を表示するものの、複数の対処モードの中から使用者の操作により選択された所望の対処モードに応じて対処方法の映像を表示するため、使用者が対処モードの選択を誤ると、洗面化粧台が適切な対処方法の映像を表示しない可能性がある。
【０００５】
そこで、１つの側面では、顔の変化に応じたマッサージ内容を精度良く出力できるマッサージ支援プログラム、マッサージ支援方法、及びマッサージ支援装置を提供することを目的とする。
【課題を解決するための手段】
【０００６】
１つの実施態様では、マッサージ支援プログラムは、異なるタイミングで撮像された顔画像に基づいて、顔の変化を特定し、顔の変化に対応づけて顔のマッサージ内容を記憶した記憶部を参照して、特定した前記変化に対応するマッサージ内容を特定し、特定した該マッサージ内容を出力する、処理をコンピュータに実行させることを特徴とする。
【発明の効果】
【０００７】
顔の変化に応じたマッサージ内容を精度良く出力することができる。
【図面の簡単な説明】
【０００８】
【図１】図１はマッサージ支援システムの一例を説明するための図である。
【図２】図２は管理サーバのハードウェア構成の一例である。
【図３】図３は化粧台及び管理サーバのブロック図の一例である。
【図４】図４は画像記憶部の一例である。
【図５】図５は情報記憶部の一例である。
【図６】図６はマッサージ支援システムの動作の一例を示す処理シーケンス図である。
【図７】図７はマッサージ内容の表示例である。
【図８】図８はマッサージ内容の別の表示例である。
【発明を実施するための形態】
【０００９】
以下、本件を実施するための形態について図面を参照して説明する。
【００１０】
図１はマッサージ支援システムＳの一例を説明するための図である。マッサージ支援システムＳは化粧台又は鏡台（以下、単に化粧台という。）１００、及びマッサージ支援装置としての管理サーバ２００を備えている。管理サーバ２００は例えばクラウドＣＬ上のデータセンターＤＣ内に設置される。
【００１１】
化粧台１００及び管理サーバ２００は互いに接続されている。より詳しくは、化粧台１００及び管理サーバ２００は通信ネットワークＮＷを介して接続されている。通信ネットワークＮＷとしては例えばインターネットなどがある。
【００１２】
化粧台１００は例えばマッサージ対象者（以下、単に対象者という。）１０が居住する自宅に設置される。より詳しくは、化粧台１００は対象者１０がマッサージを実施する洗面所などに設置される。化粧台１００はカメラ１００Ａ、スピーカ１００Ｂ、ディスプレイにタッチパネルが併設されたディスプレイ兼タッチパネル（以下、単にディスプレイという。）１００Ｃ、並びに化粧台１００の起動と稼働停止をオンとオフにより切り替えるスイッチ（不図示）などを備えている。化粧台１００にディスプレイ１００Ｃより反射率が高い鏡をディスプレイ１００Ｃと異なる位置に設けてもよい。尚、ディスプレイ１００Ｃにタッチパネルを併設せずに、タッチパネルに相当する入力機器をディスプレイ１００Ｃと異なる位置に設けてもよい。
【００１３】
詳細は後述するが、例えば、化粧台１００のスイッチがオフからオンに切り替えられると、カメラ１００Ａは撮像領域内の撮像を開始する。したがって、撮像領域内に対象者１０が含まれていれば、カメラ１００Ａは対象者１０を撮像する。化粧台１００はカメラ１００Ａが撮像した撮像領域内に応じた画像を表す撮像画像をディスプレイ１００Ｃに表示する。これにより、対象者１０は自分の頭部（具体的には顔面）及び胸部を確認することができる。また、化粧台１００はカメラ１００Ａが撮像した撮像領域内に応じた撮像画像を管理サーバ２００に向けて送信する。特に、化粧台１００は撮像画像を表示している間にディスプレイ１００Ｃを通じて対象者１０から所定の指示を受け付けると、その指示を受け付けた時点における撮像画像を特定して保持する。そして、化粧台１００は保持した撮像画像を改めて表示するとともに、その撮像画像を管理サーバ２００に向けて送信する。すなわち、化粧台１００に表示される撮像画像及び化粧台１００から送信される撮像画像はいずれも対象者１０の最新の状態を表す静止画である。
【００１４】
管理サーバ２００は化粧台１００から送信された撮像画像を受信すると、受信した撮像画像を記憶する。すなわち、管理サーバ２００には対象者１０の静止画が蓄積される。したがって、例えば対象者１０が毎日朝と晩（具体的には夕方又は夜）に化粧台１００に対して上述した所定の指示を行えば、管理サーバ２００には対象者１０の顔を含む日々の静止画が蓄積される。尚、対象者１０は朝であれば化粧前、晩であれば化粧を落とした後に所定の指示を行うことが好ましい。これにより、顔の変化が化粧の有無に左右されずに済む。
【００１５】
以下、マッサージ支援システムＳの詳細について説明する。
【００１６】
図２は管理サーバ２００のハードウェア構成の一例である。図２に示すように、管理サーバ２００は、少なくともハードウェアプロセッサとしてのCentral Processing Unit（ＣＰＵ）２００Ａ、Random Access Memory（ＲＡＭ）２００Ｂ、Read Only Memory（ＲＯＭ）２００Ｃ及びネットワークＩ／Ｆ（インタフェース）２００Ｄを含んでいる。管理サーバ２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。少なくともＣＰＵ２００ＡとＲＡＭ２００Ｂとが協働することによってコンピュータが実現される。尚、ＣＰＵ２００Ａに代えてMicro Processing Unit（ＭＰＵ）をハードウェアプロセッサとして利用してもよい。
【００１７】
入力Ｉ／Ｆ２００Ｆには、入力装置７１０が接続される。入力装置７１０としては、例えばキーボードやマウスなどがある。出力Ｉ／Ｆ２００Ｇには、表示装置７２０が接続される。表示装置７２０としては、例えば液晶ディスプレイがある。入出力Ｉ／Ｆ２００Ｈには、半導体メモリ７３０が接続される。半導体メモリ７３０としては、例えばUniversal Serial Bus（ＵＳＢ）メモリやフラッシュメモリなどがある。入出力Ｉ／Ｆ２００Ｈは、半導体メモリ７３０に記憶されたプログラムやデータを読み取る。入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００１８】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。ネットワークＩ／Ｆ２００Ｄは、例えば通信回路及びLocal Area Network（ＬＡＮ）ポートを備えている。ネットワークＩ／Ｆ２００Ｄは上述した通信ネットワークＮＷと接続される。
【００１９】
上述したＲＡＭ２００Ｂには、ＲＯＭ２００ＣやＨＤＤ２００Ｅに記憶されたプログラムがＣＰＵ２００Ａによって格納される。ＲＡＭ２００Ｂには、可搬型記録媒体７４０に記録されたプログラムがＣＰＵ２００Ａによって格納される。格納されたプログラムをＣＰＵ２００Ａが実行することにより、ＣＰＵ２００Ａは後述する各種の機能を実現し、また、後述する各種の処理を実行する。尚、プログラムは後述する処理シーケンス図に応じたものとすればよい。
【００２０】
図３は化粧台１００及び管理サーバ２００のブロック図の一例である。図４は画像記憶部２０３の一例である。図５は情報記憶部２０４の一例である。特に、図３では、化粧台１００及び管理サーバ２００が備える機能の要部が示されている。
【００２１】
まず、化粧台１００について説明する。化粧台１００は撮像部１０１、表示部１０２、音声出力部１０３、通信部１０４、及び制御部１０５を有する。尚、撮像部１０１は上述したカメラ１００Ａによって実現することができる。表示部１０２は上述したディスプレイ１００Ｃによって実現することができる。音声出力部１０３は上述したスピーカ１００Ｂによって実現することができる。通信部１０４は例えば通信回路及びＬＡＮポートによって実現することができる。制御部１０５は例えばＣＰＵや制御回路などによって実現することができる。
【００２２】
撮像部１０１は撮像領域内を撮像する。したがって、撮像領域内に対象者１０が含まれていれば、撮像部１０１は対象者１０を含む撮像領域内を撮像する。撮像部１０１は撮像領域内を撮像すると、撮像領域内に応じた撮像画像を制御部１０５に出力する。尚、撮像部１０１は化粧台１００のスイッチがオフからオンに切り替えられたことを検出すると撮像を開始し、そのスイッチがオンからオフに切り替えられたことを検出すると撮像を停止する。
【００２３】
表示部１０２は制御部１０５から出力された撮像画像を表示する。したがって、撮像部１０１が制御部１０５に撮像画像を出力し、制御部１０５が表示部１０２に撮像画像を出力すると、表示部１０２はその撮像画像を表示する。これにより、化粧台１００の前に対象者１０が存在すると、撮像部１０１が対象者１０を含む撮像領域内を撮像し、表示部１０２は撮像領域内に応じて撮像画像を表示する。
【００２４】
音声出力部１０３は制御部１０５から出力された音声情報に応じた音声を出力する。詳細は後述するが、制御部１０５が例えば対象者１０の顔のマッサージ手法を説明する音声を含む音声情報を音声出力部１０３に出力すると、音声出力部１０３はその音声情報に含まれる音声を出力する。
【００２５】
通信部１０４は化粧台１００と管理サーバ２００との通信を制御する。通信部１０４は制御部１０５から出力された撮像画像を受け付けると、撮像画像を管理サーバ２００に送信する。また、通信部１０４は管理サーバ２００から対象者１０の顔のマッサージ内容を受信すると、受信したマッサージ内容を制御部１０５に出力する。尚、詳細は後述するが、マッサージ内容は対象者１０の顔のマッサージ部分を示す画像情報と顔のマッサージ手法を説明する非画像情報を含んでいる。非画像情報としては上述した音声情報又は対象者１０の顔のマッサージ手法を説明する文字を含む文字情報などがある。
【００２６】
制御部１０５は化粧台１００の動作全体を制御する。例えば、制御部１０５は撮像部１０１から出力された撮像画像を受け付けると、受け付けた撮像画像を表示部１０２に出力する。例えば、制御部１０５は表示部１０２から出力された所定の指示を受け付けると、制御部１０５が受け付けている撮像画像から、所定の指示を受け付けた時点の撮像画像を特定して保持し通信部１０４に出力する。すなわち、制御部１０５は指示を受け付けた時点における対象者１０の静止画を通信部１０４に出力する。例えば、制御部１０５は通信部１０４から出力されたマッサージ内容を受け付けると、マッサージ内容に含まれる画像情報や文字情報を表示部１０２に出力し、マッサージ内容に含まれる音声情報を音声出力部１０３に出力する。
【００２７】
次に、管理サーバ２００について説明する。管理サーバ２００は通信部２０１、処理部２０２、画像記憶部２０３、及び記憶部としての情報記憶部２０４を有する。尚、通信部２０１は上述したネットワークＩ／Ｆ２００Ｄによって実現することができる。処理部２０２は上述したＣＰＵ２００Ａによって実現することができる。画像記憶部２０３及び情報記憶部２０４は上述したＨＤＤ２００Ｄによって実現することができる。特に、画像記憶部２０３及び情報記憶部２０４は２つのＨＤＤ２００Ｄによって実現してもよいし、１つのＨＤＤ２００Ｄにおいて記憶領域を分けて実現してもよい。
【００２８】
通信部２０１は管理サーバ２００と化粧台１００との通信を制御する。例えば、通信部２０１は化粧台１００から送信された撮像画像を受信し、受信した撮像画像を処理部２０２に出力する。例えば、通信部２０１は処理部２０２から出力されたマッサージ内容を化粧台１００に送信する。
【００２９】
処理部２０２は通信部２０１から送信された撮像画像を受け付けると、受け付けた撮像画像を画像記憶部２０３に保存する。これにより、画像記憶部２０３は、図４に示すように、撮像画像と撮像タイミングとを含む撮像画像情報を記憶する。ここで、撮像タイミングは撮像日と撮像時とを含んでいる。撮像日は処理部２０２が撮像画像を受け付けた日を表している。撮像時は処理部２０２が撮像画像を受け付けた時刻に応じた時間帯を表している。尚、対象者１０が所定の指示を行った日とその時刻に応じた時間帯を制御部１０５が撮像画像に関連付け、通信部１０４がその撮像画像を送信するようにしてもよい。画像記憶部２０３は、図４に示すように、対象者１０の顔の部位に特段の変化がなければ、撮像タイミングが変わっても、原則として変化のない一定の撮像画像ＩＭ０を記憶する。しかしながら、撮像タイミングによっては、画像記憶部２０３は対象者１０の顔の画像（より詳しくは目頭に相当する画像領域）にむくみが現れた撮像画像ＩＭ１を記憶したり、対象者１０の顔の画像（より詳しくは目尻に相当する画像領域）にしわが現れた撮像画像ＩＭ２を記憶したりする。
【００３０】
また、処理部２０２は情報記憶部２０４から上述したマッサージ内容を取得して、通信部２０１に出力する。ここで、情報記憶部２０４は、図５に示すように、顔のマッサージ内容を顔の変化に対応づけて顔の変化毎に予め記憶している。情報記憶部２０４は対象者１０の顔のマッサージ内容を記憶してもよいし、対象者１０以外の非対象者の顔のマッサージ内容を記憶してもよい。顔の変化は、具体的には、顔の部位の変化を表している。顔の変化には、例えば目尻のしわ、目のむくみ、目の充血といった目元や目自身に関するものだけでなく、頬のたるみ、鼻の横じわ、口周りのしわといった目元や目自身以外に関するものも含まれる。また、マッサージ内容は画像情報と画像情報以外の非画像情報を含んでいる。非画像情報は具体的には上述した音声情報又は文字情報を表している。
【００３１】
ここで、画像情報は複数種類の画像パターン１〜画像パターン６によって表されており、マッサージポイントやつぼの位置に対応する。例えば、画像パターン１は円を表す画像とその円の中心位置とその円の大きさ（例えば半径又は直径）とを含んでいる。画像パターン１であれば、円の中心位置は各目尻から指の幅一本分相当外側に離れた位置であり、円の大きさは数センチメートル（例えば１〜２センチメートル）である。一方、画像パターン２は垂線を表す画像とその垂線の表示開始位置とその垂線の表示終了位置又はその垂線の長さとを含んでいる。画像パターン２であれば、垂線の表示開始位置は各目尻に相当する位置であり、垂線の表示終了位置は各口角に相当する位置である。画像パターン３〜画像パターン６についても画像パターン１や画像パターン２と基本的に同様である。
【００３２】
一方、非画像情報は複数種類の非画像パターン１〜非画像パターン６によって表されており、顔の変化を改善するマッサージ手法の説明に対応する。具体的には、非画像パターン１は目尻のしわを改善するマッサージ手法の説明に関する音声又は文字を含んでいる。非画像パターン２は目のむくみを改善するマッサージ手法の説明に関する音声又は文字を含んでいる。非画像パターン３〜非画像パターン６についても非画像パターン１や非画像パターン２と基本的に同様である。
【００３３】
続いて、マッサージ支援システムＳの動作について説明する。
【００３４】
図６はマッサージ支援システムＳの動作の一例を示す処理シーケンス図である。まず、化粧台１００の撮像部１０１はスイッチがオフからオンに切り替えられたことを検出するまで待機する（ステップＳ１０１：ＮＯ）。そして、撮像部１０１はスイッチがオフからオンに切り替えられたことを検出すると（ステップＳ１０１：ＹＥＳ）、通信部１０４は撮像画像を管理サーバ２００に送信する（ステップＳ１０２）。より詳しくは、制御部１０５が表示部１０２から出力された所定の指示を受け付けると、制御部１０５が受け付けている撮像画像から所定の指示を受け付けた時点の撮像画像を特定して保持し通信部１０４に出力する。これにより、通信部１０４は撮像画像を管理サーバ２００に送信する。
【００３５】
一方、管理サーバ２００の通信部２０１は化粧台１００から送信された撮像画像を受信する（ステップＳ２０１）。通信部２０１が撮像画像を受信すると、処理部２０２は撮像画像を保存する（ステップＳ２０２）。すなわち、通信部２０１を介して処理部２０２が化粧台１００から送信された撮像画像を受け付けると、処理部２０２は受け付けた撮像画像を画像記憶部２０３に保存する。これにより、管理サーバ２００に撮像画像が蓄積される。
【００３６】
ステップＳ２０２の処理が完了すると、次いで、処理部２０２は撮像タイミングが異なる撮像画像を抽出する（ステップＳ２０３）。例えば、処理部２０２は最新の撮像画像と最新の撮像画像の直前に保存された撮像画像を抽出する。すなわち、処理部２０２は撮像タイミングが連続する２つの撮像画像を抽出する。ステップＳ２０３の処理が完了すると、次いで、処理部２０２は顔の変化があるか否かを判断する（ステップＳ２０４）。より詳しくは、処理部２０２は撮像タイミングが異なる２つの撮像画像を比較し、差分の有無により顔の変化があるか否かを判断する。例えば、処理部２０２は撮像タイミングが異なる２つの撮像画像を比較し、差分がないことにより顔の変化がないと判断した場合（ステップＳ２０４：ＮＯ）、後続の処理を実行せずにスキップする。すなわち、処理部２０２が撮像日「２０１７年１０月１８日」及び撮像時「夕方」の撮像画像ＩＭ０（図４参照）と撮像日「２０１７年１０月１８日」及び撮像時「朝」の撮像画像ＩＭ０（図４参照）を抽出した場合、２つの撮像画像ＩＭ０には差分が存在せず、顔の変化がないため、処理部２０２は顔の変化がないと判断する。
【００３７】
一方、処理部２０２は撮像タイミングが異なる２つの撮像画像を比較し、差分があることにより顔の変化があると判断した場合（ステップＳ２０４：ＹＥＳ）、顔の変化を特定する（ステップＳ２０５）。すなわち、処理部２０２が撮像日「２０１７年１０月２５日」及び撮像時「朝」の撮像画像ＩＭ１（図４参照）と撮像日「２０１７年１０月２４日」及び撮像時「夜」の撮像画像ＩＭ０（図４参照）を抽出した場合、２つの撮像画像ＩＭ１，ＩＭ０は目及びその周囲に差分が生じるため、処理部２０２は顔の変化があると判断する。処理部２０２は顔の変化があると判断すると、顔の変化を特定する。
【００３８】
例えば、２つの撮像画像ＩＭ１，ＩＭ０を比較して眼球の部分に相当する部分領域の大きさが小さくなっていたり、まぶたに相当する部分領域の大きさが拡大していたり、まぶたに相当する部分領域の色が変色していたりすると、処理部２０２は顔の変化として目のむくみを特定する。例えば、処理部２０２が撮像日「２０１７年１０月３１日」及び撮像時「夜」の撮像画像ＩＭ２（図４参照）と撮像日「２０１７年１０月３１日」及び撮像時「朝」の撮像画像（不図示）を抽出して比較した場合、目尻に相当する領域において黒色の領域が増加していれば、処理部２０２は顔の変化として目のしわを特定する。例えば、撮像タイミングが異なる撮像画像を抽出して比較し、眼球に相当する領域において赤色の領域が増加していれば、処理部２０２は顔の変化として目の充血を特定する。尚、顔の部位（例えば眼球やまぶたなど）に相当する部分領域は予め顔の部位の特徴を定めた情報（例えば画像情報など）とのマッチングによって特定することができる。
【００３９】
ステップＳ２０５の処理が完了すると、次いで、処理部２０２はマッサージ内容を特定する（ステップＳ２０６）。より詳しくは、処理部２０２は情報記憶部２０４を参照し、ステップＳ２０５の処理で特定した顔の変化に対応するマッサージ内容を特定して取得する。ステップＳ２０６の処理が完了すると、通信部２０１はマッサージ内容を送信する（ステップＳ２０７）。より詳しくは、処理部２０２はマッサージ内容を特定して取得すると、取得したマッサージ内容を通信部２０１に出力する。これにより、通信部２０１はマッサージ内容を化粧台１００に向けて送信する。このように、処理部２０２は通信部２０１を介してマッサージ内容を化粧台１００に向けて出力する。
【００４０】
ステップＳ２０７の処理が完了すると、化粧台１００の通信部１０４はマッサージ内容を受信する（ステップＳ１０３）。ステップＳ１０３の処理が完了すると、次いで、表示部１０２はマッサージ内容を撮像画像に重畳して表示する（ステップＳ１０４）。より詳しくは、通信部１０４はマッサージ内容を受信すると、受信したマッサージ内容を制御部１０５に出力する。制御部１０５はマッサージ内容を受け付けると、非画像情報の種別を判断し、非画像情報が文字情報であれば、画像情報と文字情報を表示部１０２に出力する。これにより、表示部１０２は画像情報に応じた画像と文字情報に応じた文字を撮像画像に重畳して表示する。一方、非画像情報が音声情報であれば、画像情報を表示部１０２に出力し、音声情報を音声出力部１０３に出力する。これにより、表示部１０２は画像情報に応じた画像を撮像画像に重畳して表示し、音声出力部１０３は音声情報に応じた音声を出力する。
【００４１】
図７はマッサージ内容の表示例である。図７に示すように、対象者１０の顔の変化が目尻のしわである場合、その顔の変化と対応付けられたマッサージ内容が表示される。具体的には、目尻のしわと対応付けられた画像パターン１に含まれる円を表す画像ＩＭ−Ｃが最新の撮像画像ＩＭ２に含まれる対象者１０の顔の画像に重畳してディスプレイ１００Ｃに表示される。また、目尻のしわと対応付けられた非画像パターン１に含まれる目尻のしわを改善するマッサージ手法の説明に関する文字を含む文字領域ＴＸＴが最新の撮像画像ＩＭ２に含まれる対象者１０の顔の画像に重畳せずにディスプレイ１００Ｃに表示される。これにより、対象者１０は画像ＩＭ−Ｃと文字領域ＴＸＴに含まれる文字を確認しながら、目尻のしわに応じたマッサージを精度良く実施することができる。
【００４２】
図８はマッサージ内容の別の表示例である。図８に示すように、対象者１０の顔の変化が目のむくみである場合、その顔の変化と対応付けられたマッサージ内容が表示される。具体的には、目のむくみと対応付けられた画像パターン２に含まれる垂線を表す画像ＩＭ−Ｌが最新の撮像画像ＩＭ１に含まれる対象者１０の顔の画像に重畳してディスプレイ１００Ｃに表示される。また、目のむくみと対応付けられた非画像パターン２に含まれる目のむくみを改善するマッサージ手法の説明に関する音声Ｖがスピーカ１００Ｂから出力される。これにより、対象者１０は画像ＩＭ−Ｌを確認しつつ、音声Ｖを聴きながら、目のむくみに応じたマッサージを精度良く実施することができる。
【００４３】
ところで、雑誌やテレビ、ホームページといった各種の媒体に掲載されたモデルや人物画にはマッサージポイントやつぼの位置が示されつつ、マッサージ手法の説明が記載されていることが多い。しかしながら、対象者１０がこれらの情報を参考に鏡を見ながら自分の顔に対するマッサージを試みても、対象者１０の顔の形状とモデルや人物画の顔の形状は相違することが多いため、対象者１０は顔の変化に応じたマッサージを精度良く実施できない可能性がある。ところが、本実施形態によれば、マッサージ内容に含まれる画像情報の画像パターン１〜画像パターン６は顔の部位（具体的には目尻や口角など）と対応付けられている。このため、顔の形状に関わらずに、表示される画像と併せて、表示される文字又は出力される音声を参考にしながら、対象者１０は顔の変化に応じたマッサージを精度良く実施することができる。
【００４４】
以上、本実施形態によれば、管理サーバ２００は処理部２０２と情報記憶部２０４とを有する。情報記憶部２０４は対象者１０の顔の変化に対応づけて顔のマッサージ内容を記憶する。そして、処理部２０２は異なる撮像タイミングで撮像された対象者１０の顔画像に基づいて、顔の変化を特定し、情報記憶部２０４を参照して、特定した変化に対応するマッサージ内容を特定して出力する。これにより、顔の変化に応じたマッサージ内容を精度良く出力することができる。
【００４５】
以上、本発明の好ましい実施形態について詳述したが、本発明に係る特定の実施形態に限定されるものではなく、特許請求の範囲に記載された本発明の要旨の範囲内において、種々の変形・変更が可能である。上述した実施形態では、管理サーバ２００が画像記憶部２０３及び情報記憶部２０４を有していたが、画像記憶部２０３及び情報記憶部２０４を化粧台１００に設け、化粧台１００の制御部１０５が処理部２０２によって実行される処理を実行するようにしてもよい。
【００４６】
また、上述した実施形態では、処理部２０２は最新の撮像画像と最新の撮像画像の直前に保存された撮像画像を抽出したが、例えば、処理部２０２は最新の撮像画像と最新の撮像画像の所定期間前に保存された撮像画像を抽出してもよい。例えば目尻のしわは１日で発生する可能性が低いため、最新の撮像画像と所定期間前に保存された撮像画像を比較すれば、処理部２０２は目尻のしわを精度良く特定することができる。
【００４７】
なお、以上の説明に関して更に以下の付記を開示する。
（付記１）異なるタイミングで撮像された顔画像に基づいて、顔の変化を特定し、顔の変化に対応づけて顔のマッサージ内容を記憶した記憶部を参照して、特定した前記変化に対応するマッサージ内容を特定し、特定した該マッサージ内容を出力する、処理をコンピュータに実行させることを特徴とするマッサージ支援プログラム。
（付記２）前記異なるタイミングは、朝と、夕方又は夜である、ことを特徴とする付記１に記載のマッサージ支援プログラム。
（付記３）前記マッサージ内容は、最新の撮像画像に含まれる顔画像に対応づけて表示される、ことを特徴とする付記１に記載のマッサージ支援プログラム。
（付記４）前記マッサージ内容を特定する処理は、顔の変化に対応づけて該顔の変化を改善するマッサージ部分を示す画像を記憶した記憶部を参照して、特定した前記変化に対応する画像を特定し、前記マッサージ内容を出力する処理は、特定した該画像を前記顔画像に重畳して表示する、ことを特徴とする付記１に記載のマッサージ支援プログラム。
（付記５）前記マッサージ内容を特定する処理は、顔の変化に対応づけて該顔の変化を改善するマッサージ部分を示す画像と該顔のマッサージ手法を説明する文字とを記憶した記憶部を参照して、特定した前記変化に対応する画像と文字とを特定し、前記マッサージ内容を出力する処理は、特定した該画像を前記顔画像に重畳して表示し、特定した該文字を前記顔画像に重畳せずに表示する、ことを特徴とする付記１に記載のマッサージ支援プログラム。
（付記６）前記マッサージ内容を特定する処理は、顔の変化に対応づけて該顔の変化を改善するマッサージ部分を示す画像と該顔のマッサージ手法を説明する音声とを記憶した記憶部を参照して、特定した前記変化に対応する画像及び音声を特定し、前記マッサージ内容を出力する処理は、特定した該画像を前記顔画像に重畳して表示し、特定した該音声を出力する、ことを特徴とする付記１に記載のマッサージ支援プログラム。
（付記７）前記顔の変化を特定する処理は、前記顔画像における部分領域の大きさ又は前記顔画像における部分領域の色の変化に基づいて、前記顔の変化を特定する、ことを特徴とする付記１から６のいずれか１項に記載のマッサージ支援プログラム。
（付記８）異なるタイミングで撮像された顔画像に基づいて、顔の変化を特定し、顔の変化に対応づけて顔のマッサージ内容を記憶した記憶部を参照して、特定した前記変化に対応するマッサージ内容を特定し、特定した該マッサージ内容を出力する、処理をコンピュータが実行することを特徴とするマッサージ支援方法。
（付記９）顔の変化に対応づけて顔のマッサージ内容を記憶した記憶部と、異なるタイミングで撮像された顔画像に基づいて、顔の変化を特定し、前記記憶部を参照して、特定した前記変化に対応するマッサージ内容を特定し、特定した該マッサージ内容を出力する処理部と、を有することを特徴とするマッサージ支援装置。
（付記１０）前記処理部は、顔の変化に対応づけて該顔の変化を改善するマッサージ部分を示す画像を記憶した記憶部を参照して、特定した前記変化に対応する画像を特定し、特定した該画像を前記顔画像に重畳して表示する、ことを特徴とする付記９に記載のマッサージ支援装置。
（付記１１）前記処理部は、顔の変化に対応づけて該顔の変化を改善するマッサージ部分を示す画像と該顔のマッサージ手法を説明する文字とを記憶した記憶部を参照して、特定した前記変化に対応する画像と文字とを特定し、特定した該画像を前記顔画像に重畳して表示し、特定した該文字を前記顔画像に重畳せずに表示する、ことを特徴とする付記９に記載のマッサージ支援装置。
（付記１２）前記処理部は、顔の変化に対応づけて該顔の変化を改善するマッサージ部分を示す画像と該顔のマッサージ手法を説明する音声とを記憶した記憶部を参照して、特定した前記変化に対応する画像及び音声を特定し、特定した該画像を前記顔画像に重畳して表示し、特定した該音声を出力する、ことを特徴とする付記９に記載のマッサージ支援装置。
（付記１３）前記処理部は、前記顔画像における部分領域の大きさ又は前記顔画像における部分領域の色の変化に基づいて、前記顔の変化を特定する、ことを特徴とする付記９から１２のいずれか１項に記載のマッサージ支援装置。
【符号の説明】
【００４８】
Ｓ  マッサージ支援システム
１００  化粧台
２００  管理サーバ
２０１  通信部
２０２  処理部
２０３  画像記憶部
２０４  情報記憶部
【図１】
2019091317.tif 000003
【図２】
2019091317.tif 000004
【図３】
2019091317.tif 000005
【図４】
2019091317.tif 000006
【図５】
2019091317.tif 000007
【図６】
2019091317.tif 000008
【図７】
2019091317.tif 000009
【図８】
2019091317.tif 000010